(57)【要約】【課題】複数の蓄電池を切り換えて、一方で電気を供給しながら他方で蓄電することにより、連続的に電気を供給できるようにした蓄電池ユニットを提供する。【解決手段】複数の蓄電池１Ａ、１Ｂと、上記複数の蓄電池１Ａ、１Ｂを切り換えて、順次電気を取り出すための切換え手段２と、  上記各蓄電池１Ａ、１Ｂに対して充電するための電気を発生する発電手段４と、  上記切換え手段２によって電気を取り出していない状態の蓄電池１Ａ、１Ｂに対して、上記発電手段４で発電した電気を充電するための充電手段３とを備えている。  複数の蓄電池１Ａ、１Ｂを切り換えて、一方の蓄電池１Ａ、１Ｂによって電気を供給しながら、他方の蓄電池１Ａ、１Ｂに対して蓄電を行うことができる。したがって、１台の蓄電池ユニットで連続的に電気を供給できる。【選択図】図１
0003187444.tif 000002
【実用新案登録請求の範囲】
【請求項１】
複数の蓄電池と、
上記複数の蓄電池を切り換えて、順次電気を取り出すための切換え手段と、
上記各蓄電池に対して充電するための電気を発生する発電手段と、
上記切換え手段によって電気を取り出していない状態の蓄電池に対して、上記発電手段で発電した電気を充電するための充電手段とを備えた
ことを特徴とする蓄電池ユニット。
【請求項２】
上記発電手段が太陽光発電ユニットである
請求項１記載の蓄電池ユニット。
【考案の詳細な説明】
【技術分野】
【０００１】
本考案は、複数の蓄電池を切り換えて、一方で電気を供給しながら他方で蓄電することにより、連続的に電気を供給できるようにした蓄電池ユニットに関するものである。
【背景技術】
【０００２】
従来から、蓄電池の放電容量を大きくするために、複数の単電池を集積して蓄電池ユニットとすることが行われている。このような蓄電池ユニットとして、例えば下記の特許文献１に開示されたものがある。
【０００３】
特許文献１に記載された蓄電池ユニットは、複数の単電池を集積した蓄電池ユニットである。特に、低温環境下での放電容量を確保するために、各単電池を加熱するヒータを配置している。
【先行技術文献】
【特許文献】
【０００４】
【特許文献１】特開２００５−１５００６５号公報
【考案の概要】
【考案が解決しようとする課題】
【０００５】
しかしながら、上記特許文献１に記載された蓄電池ユニットでは、各単電池をすべて放電させてしまうと、それ以上は電気を供給することができなくなって、充電操作を行わなければならなくなる。充電が終了するまで電気の使用を待てる場合はそれでもよいけれど、そうでない場合は、同様の蓄電池ユニットをもう一台準備しておく必要が生じる。これでは、地震や津波などの自然災害時の電力供給手段としては、十分なものといえない。
【０００６】
本考案は、上記課題を解決するためになされたものであり、複数の蓄電池を切り換えて、一方で電気を供給しながら他方で蓄電することにより、連続的に電気を供給できるようにした蓄電池ユニットを提供することをその目的とする。
【課題を解決するための手段】
【０００７】
上記の目的を達成するため、本考案の蓄電池ユニットは、複数の蓄電池と、
上記複数の蓄電池を切り換えて、順次電気を取り出すための切換え手段と、
上記各蓄電池に対して充電するための電気を発生する発電手段と、
上記切換え手段によって電気を取り出していない状態の蓄電池に対して、上記発電手段で発電した電気を充電するための充電手段とを備えたことを要旨とする。
【考案の効果】
【０００８】
本考案の蓄電池ユニットは、上記切換え手段によって上記複数の蓄電池を切り換えて、順次電気を取り出す。また、上記切換え手段によって電気を取り出していない状態の蓄電池に対して、上記充電手段により、上記発電手段で発電した電気を充電する。
このため、複数の蓄電池を切り換えて、一方の蓄電池によって電気を供給しながら、同時に、他方の蓄電池に対して蓄電を行うことができる。したがって、１台の蓄電池ユニットで連続的に電気を供給でき、従来のように、充電が終了するまで電気の使用を待ったり、蓄電池ユニットをもう一台準備する必要がなくなる。
【０００９】
本考案において、上記発電手段が太陽光発電ユニットである場合には、
発電にあたってＣＯ２のような温暖化ガスを発生させず、地球環境の面で好ましい。
【図面の簡単な説明】
【００１０】
【図１】本考案の一実施の形態における蓄電池ユニットの構成を説明する図である。
【図２】本考案の変形例を説明する図である。
【図３】本考案の具体例を説明する図である。
【考案を実施するための形態】
【００１１】
以下、本考案の蓄電池ユニットの実施の形態について詳細に説明する。
【００１２】
図１は、本考案の一実施形態における蓄電池ユニット１０を示す図である。
【００１３】
この蓄電池ユニット１０は、複数の蓄電池１Ａ、１Ｂを備えている。図示した例では、第１の蓄電池１Ａと第２の蓄電池１Ｂの２つの蓄電池１Ａ、１Ｂを備えたものを示している。ただし、後述するように、蓄電池は３つ以上備えたものも本考案に包含する趣旨である。
【００１４】
この蓄電池ユニット１０は、上記第１の蓄電池１Ａと第２の蓄電池２Ｂを切り換えて、順次電気を取り出すための切換え手段２を備えている。上記切換え手段２により、第１の蓄電池１Ａか第２の蓄電池２Ｂかいずれか一方から取り出した電気は、電気使用設備１１で使用される。
【００１５】
上記電気使用設備１１としては、特に限定するものではなく、各種の設備をあげることができる。例えば、冷蔵庫、冷暖房装置、加熱調理器、照明装置等をあげることができる。図示した例では、電気使用設備１１として交流電気を使用する設備を接続した場合である。したがって、第１の蓄電池１Ａまたは第２の蓄電池１Ｂから取り出した直流電気をインバータ５によって交流電気に変換して使用している。もちろん、インバータ５を介することなく、電気使用設備１１として直流電気を使用する設備を接続することもできる。
【００１６】
上記蓄電池ユニット１０は、上記第１の蓄電池１Ａおよび第２の蓄電池１Ｂに対して充電するための電気を発生する発電手段４を備えている。
【００１７】
この例では、上記発電手段４が太陽光発電ユニットである。なお、発電手段４としては、太陽光発電ユニットに限定するものではなく、直流電気を発生する直流発電機であれば、各種のものを用いることができる。例えば、風力発電ユニット、整流子発電機、交流発電機と整流器を組合わせたオルタネーター等を使用することができる。
【００１８】
上記蓄電池ユニット１０は、上記切換え手段２によって電気を取り出していない状態の蓄電池１Ａ、１Ｂに対して、上記発電手段４で発電した電気を充電するための充電手段３を備えている。
【００１９】
この例では、第１の蓄電池１Ａと第２の蓄電池１Ｂの２つの蓄電池１Ａ、１Ｂを切り換えて電気を取り出す。したがって、上記切換え手段２は、第１の蓄電池１Ａから電気を取り出している間、第２の蓄電池１Ｂに対して充電手段３によって充電が行われるように切り換える。また、上記切換え手段２は、第２の蓄電池１Ｂから電気を取り出している間、第１の蓄電池１Ａに対して充電手段３によって充電が行われるように切り換える。
【００２０】
図２は、変形例を説明する図である。
【００２１】
この変形例は、第１の蓄電池１Ａと第２の蓄電池１Ｂに加えて第３の蓄電池１Ｃを備えている。
【００２２】
上記各蓄電池１Ａ、１Ｂ、１Ｃとしては、各種のものを用いることができる。例えば、鉛蓄電池、リチウムイオン二次電池、リチウムイオンポリマー二次電池、ニッケル・水素蓄電池、ニッケル・カドミウム蓄電池、ニッケル・鉄蓄電池、ニッケル・亜鉛蓄電池、酸化銀・亜鉛蓄電池等、各種のものをあげることができる。
【００２３】
切換え手段２は、第１の蓄電池１Ａと第２の蓄電池１Ｂと第３の蓄電池１Ｃの３つの蓄電池１Ａ、１Ｂ、１Ｃを切り換えて電気を取り出す。
【００２４】
この例では、上記切換え手段２は、第１の蓄電池１Ａから電気を取り出している間、第２の蓄電池１Ｂおよび第３の蓄電池１Ｃに対して充電手段３によって充電が行われるように切り換える。また、上記切換え手段２は、第２の蓄電池１Ｂから電気を取り出している間、第１の蓄電池１Ａおよび第３の蓄電池１Ｃに対して充電手段３によって充電が行われるように切り換える。また、上記切換え手段２は、第３の蓄電池１Ｃから電気を取り出している間、第１の蓄電池１Ａおよび第２の蓄電池１Ｂに対して充電手段３によって充電が行われるように切り換える。
【００２５】
あるいは、つぎのような切換え制御をすることもできる。
【００２６】
上記切換え手段２は、第１の蓄電池１Ａと第２の蓄電池１Ｂから電気を取り出している間、第３の蓄電池１Ｃに対して充電手段３によって充電が行われるように切り換える。また、上記切換え手段２は、第２の蓄電池１Ｂと第３の蓄電池１Ｃから電気を取り出している間、第１の蓄電池１Ａに対して充電手段３によって充電が行われるように切り換える。また、上記切換え手段２は、第３の蓄電池１Ｃと第１の蓄電池１Ａから電気を取り出している間、第２の蓄電池１Ｂに対して充電手段３によって充電が行われるように切り換える。
【００２７】
あるいは、つぎのような切換え制御をすることもできる。
【００２８】
上記切換え手段２は、第１の蓄電池１Ａから電気を取り出している間、第２の蓄電池１Ｂに対して充電手段３によって充電が行われ、第３の蓄電池１Ｃを休止状態とするように切り換える。また、上記切換え手段２は、第２の蓄電池１Ｂから電気を取り出している間、第３の蓄電池１Ｃに対して充電手段３によって充電が行われ、第１の蓄電池１Ａを休止状態とするように切り換える。第３の蓄電池１Ｃから電気を取り出している間、第１の蓄電池１Ａに対して充電手段３によって充電が行われ、第２の蓄電池１Ｂを休止状態とするように切り換える。
【００２９】
上述した実施形態では、蓄電池を２つあるいは３つ備えた例を説明したが、４つ以上の蓄電池で切換え制御を行うようにしてもよい。
【００３０】
図３は、具体例を説明する図である。
【００３１】
この例では、蓄電池ユニット１０を１つのケースに収めて台車６に搭載している。ケースの上に発電手段４である太陽光発電ユニットを配置している。
【００３２】
上記実施形態の蓄電池ユニット１０は、上記切換え手段２によって上記複数の蓄電池１Ａ、１Ｂ、１Ｃを切り換えて、順次電気を取り出す。また、上記切換え手段２によって電気を取り出していない状態の蓄電池１Ａ、１Ｂ、１Ｃに対して、上記充電手段３により、上記発電手段４で発電した電気を充電する。
このため、複数の蓄電池１Ａ、１Ｂ、１Ｃを切り換えて、一方の蓄電池１Ａ、１Ｂ、１Ｃによって電気を供給しながら、同時に、他方の蓄電池１Ａ、１Ｂ、１Ｃに対して蓄電を行うことができる。したがって、１台の蓄電池ユニット１０で連続的に電気を供給でき、従来のように、充電が終了するまで電気の使用を待ったり、蓄電池ユニット１０をもう一台準備する必要がなくなる。
【００３３】
本考案において、上記発電手段４が太陽光発電ユニットである場合には、
発電にあたってＣＯ２のような温暖化ガスを発生させず、地球環境の面で好ましい。
【００３４】
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００３５】
１Ａ  第１の蓄電池
１Ｂ  第２の蓄電池
１Ｃ  第３の蓄電池
２  切換え手段
３  充電手段
４  発電手段
５  インバータ
６  台車
１０  蓄電池ユニット
１１  電気使用設備
【図１】
0003187444.tif 000003
【図２】
0003187444.tif 000004
【図３】
0003187444.tif 000005